(57)【要約】【課題】新たに作成された外字データ及びそのコードをネットワークに接続された全ユーザで共有する。【解決手段】ユーザが自分で作成した外字イメージをネットワークを介してサーバに送り、サーバがその外字に対して固有のインデックス番号を付与し、ネットワークに接続された全クライアント端末に対してそのインデックス番号を送り、全ユーザの外字ファイルを自動更新する。【選択図】図３
2006048277.tif 000002
【特許請求の範囲】
【請求項１】
ネットワークを通じて相互に交信が可能な外字提供者のサーバと、該サーバに接続された文字データベースと、パーソナルコンピュータ（ＰＣ）ユーザのクライアント端末とを含み、
前記サーバは、
前記ＰＣユーザからの外字リクエストを受付け、取得した外字データにインデックス番号を付与するとともに、前記インデックスが付与された外字データを前記文字データベースに送るクライアント管理手段と、
前記インデックスが付与された外字データを前記文字データベースに格納したり、前記文字データベースから外字データを検索したりする文字データベース管理手段と、
前記ＰＣユーザのクライアント端末に前記外字データを割り当てる外字割り当て手段とを備え、
前記クライアント端末は、前記サーバに対してネットワークを介して外字リクエストを行う外字リクエスト手段を備えたことを特徴とするネットワークを利用した外字提供システム。
【請求項２】
前記クライアント管理手段が、
文字デザインメーカに外字イメージと情報とを送る手段と、新しい外字が作られたか否か及びそれが送られたか否かをチェックする手段と、文字デザインメーカが作成した外字データを受領する手段とを含む外字データ取得手段を備えたことを特徴とする請求項１に記載のネットワークを利用した外字提供システム。
【請求項３】
前記クライアント管理手段が、
標準の文字コードを使用して同一の文字に対応する１組の外字データにアクセスする手段と、文字イメージのモーメントを計算する手段と、インデックス番号を決めるため、ニューラルネットワークに学習させる際に文字イメージのモーメントを使用する手段とを含むインデックス付与手段を備えたことを特徴とする請求項１又は２に記載のネットワークを利用した外字提供システム。
【請求項４】
前記モーメントは、１次及び２次モーメントを含むものである、請求項３に記載のネットワークを利用した外字提供システム。
【請求項５】
前記文字データベース管理手段が、
前記外字データの保管場所を設定する手段と、設定された保管場所に外字データを保管する手段とを含む外字データ保管手段を備えたことを特徴とする請求項１乃至４のいずれかに記載のネットワークを利用した外字提供システム。
【請求項６】
前記文字データベース管理手段が、
インデックス番号に従って文字データベース内をサーチする手段と、サーチ結果を報知する手段とを含む外字データ検索手段を備えたことを特徴とする請求項１乃至５のいずれかに記載のネットワークを利用した外字提供システム。
【請求項７】
前記外字割り当て手段が、
前記文字データベースから欲しい外字データを集める手段と、パッケージされた外字データをすべてのクライアント端末に送る手段と、前記クライアント端末内にある更新前の外字データを更新されたパッケージされた外字データに置き換える手段とを備えたことを特徴とする請求項１乃至６のいずれかに記載のネットワークを利用した外字提供システム。
【請求項８】
前記クライアント端末が外字データ作成手段を備えていることを特徴とする請求項１乃至７のいずれかに記載のネットワークを利用した外字提供システム。
【請求項９】
ネットワークを通じて相互に交信が可能な外字提供者のサーバと、該サーバに接続された文字データベースと、ＰＣユーザのクライアント端末とを含むシステムによって、前記サーバから前記クライアント端末へ外字を提供する方法であって、該方法は、
（ａ）前記クライアント端末からの外字リクエストが前記ネットワークを介して前記サーバに入力されるステップ、
（ｂ）前記サーバが前記クライアント端末からの外字リクエストを受け付けるステップ、
（ｃ）前記サーバが前記リクエストされた外字が前記文字データベースに存在するか否かを検索するステップ、
（ｄ）ステップ（ｃ）の結果、前記外字が前記文字データベースにない場合には、前記サーバがその外字に対して新たなインデックス番号を付与し、前記文字データベースに格納するステップ、
（ｅ）前記サーバが前記クライアント端末に、前記リクエストされた外字のインデックス番号を割り当てるステップ、
を含むことを特徴とするネットワークを利用した外字提供方法。
【請求項１０】
前記（ｃ）のステップがさらに次の（イ）〜（ニ）のステップを有することを特徴とする請求項９に記載のネットワークを利用した外字提供方法。
（イ）ＰＣユーザのリクエストの有効性を検証するステップ
（ロ）リクエストされた外字イメージの１次及び２次モーメントを計算するステップ
（ハ）リクエストされた外字のインデックス番号を探すステップ
（ニ）リクエストされた外字データにアクセスするステップ
【請求項１１】
前記（ｄ）のステップにおいて文字データベースに格納するステップが、さらに次の（イ）〜（ハ）のステップを有することを特徴とする請求項９に記載のネットワークを利用した外字提供方法。
（イ）ニューラルネットワーク及びその記憶構造を更新するステップ
（ロ）新しい外字データに対して適当な記憶スペースを割り当てるステップ
（ハ）同一の文字コードを有するすべての外字を関連付けるステップ
【請求項１２】
前記（ｅ）のステップがさらに次の（イ）〜（ハ）のステップを有することを特徴とする請求項９に記載のネットワークを利用した外字提供方法。
（イ）文字データベースから前記外字データを検索するステップ
（ロ）外字データを一まとめにするステップ
（ハ）一まとめにされた外字データを前記クライアント端末に送るステップ
【請求項１３】
請求項１乃至１２のいずれかに記載のサーバを下記の手段（ａ）〜（ｆ）として機能させるためのコンピュータプログラム。
（ａ）ユーザのクライアント端末から外字リクエストを受ける手段
（ｂ）要求された外字にインデックス番号をつける手段
（ｃ）文字データベースから外字を検索する手段
（ｄ）新しい文字データの作成処理を行う手段
（ｅ）文字データベースの再構築を行う手段
（ｆ）文字データをユーザのクライアント端末に割り当てる手段
【請求項１４】
請求項１３に記載のコンピュータプログラムが格納されたコンピュータ読取可能な記憶媒体。
【発明の詳細な説明】
【技術分野】
【０００１】
本発明は、ネットワークを利用した外字提供システム及び方法に関し、特に、ネットワークに接続されたユーザの端末からリクエストされた特定のアジア文字（漢字、ハングル文字など）の外字のインデックス番号をサーバで自動生成し、ユーザの端末に送信し、ユーザの外字ファイルを自動更新するシステム及び方法に関するものである。
【背景技術】
【０００２】
コンピュータで漢字を表現しようとすると、一つ一つの文字を文字コード（代表的なものに、JISコード、シフトJISコード、Unicode、ECUコードなどがある。）と呼ばれる英数字のコードに割り当てるのが一般的である。
しかしながら、人名漢字のように、一つの文字コードを有する文字に対して複数の字体が使用される場合がある。例えば、「吉田」という姓の「吉」の上側の「士」の部分を、「土」でおきかえた文字を使用するような場合である。このような文字は標準の文字として登録されていないので、「外字」としてユーザが外字作成ツール等を利用して作成して、自分のコンピュータの外字エリアに登録して使用している。
【０００３】
一方、ネットワークの普及により、文書を電子媒体でやりとりすることが一般的になった。しかしながら、あるユーザＡが外字を使用すると、その文書を受け取った別のパソコンのユーザＢは（その外字が登録されていないと）その外字を表示できない。もしユーザＢのパソコンにその外字が登録されていたとしても、ユーザＡが登録したときに付けた文字コードと同一の文字コードで登録されていなければ、やはり表示できない。
以上のような問題を解決するために、文字データ及び文字コードを一つのコンピュータ（外字サーバと呼ばれる。）で集中管理し、外字を利用する必要のあるクライアントＰＣはネットワークを介して外字サーバにアクセスし、必要な外字データとその文字コードをダウンロードして自分のＰＣに登録して利用するシステムが提案されている（特許文献１参照）。
【特許文献１】米国特許第６，６０３，４７８号明細書
【特許文献２】特許第３４４８６０６号公報
【発明の開示】
【発明が解決しようとする課題】
【０００４】
しかし、自分の欲しい外字が必ずしも外字サーバに存在するとは限らないため、サーバに存在しない外字をユーザ自身で作成することになるが、この場合、その外字を使用した文書を電子データとして受け取った相手は、自分のパソコンでその外字を表示させることができない。
本発明は上述のような事情に鑑み為されたものであり、本発明は、新たに作成された外字を一括して管理し、新たに作成された外字データ及びそのコードをネットワークに接続された全ユーザで共有できるシステム及び方法を提供することを目的としている。
【課題を解決するための手段】
【０００５】
本発明はネットワークを利用した外字提供システムに関し、本発明の上記目的は、ネットワークを通じて相互に交信が可能な外字提供者のサーバと、該サーバに接続された文字データベースと、パーソナルコンピュータ（ＰＣ）ユーザのクライアント端末とを含み、前記サーバは、前記ＰＣユーザからの外字リクエストを受付け、取得した外字データにインデックス番号を付与するとともに、前記インデックスが付与された外字データを前記文字データベースに送るクライアント管理手段と、前記インデックスが付与された外字データを前記文字データベースに格納したり、前記文字データベースから外字データを検索したりする文字データベース管理手段と、前記ＰＣユーザのクライアント端末に前記外字データを割り当てる外字割り当て手段とを備え、前記クライアント端末は、前記サーバに対してネットワークを介して外字リクエストを行う外字リクエスト手段を備えたことを特徴とするネットワークを利用した外字提供システムによって達成される。
【０００６】
また、本発明の上記目的は、前記クライアント管理手段が、文字デザインメーカに外字イメージと情報とを送る手段と、新しい外字が作られたか否か及びそれが送られたか否かをチェックする手段と、文字デザインメーカが作成した外字データを受領する手段とを含む外字データ取得手段を備えることにより、或いは、前記クライアント管理手段が、標準の文字コードを使用して同一の文字に対応する１組の外字データにアクセスする手段と、文字イメージのモーメントを計算する手段と、インデックス番号を決めるため、ニューラルネットワークに学習させる際に文字イメージのモーメントを使用する手段とを含むインデックス付与手段を備えることにより効果的に達成される。
【０００７】
さらに、本発明の上記目的は、前記文字データベース管理手段が、前記外字データの保管場所を設定する手段と、設定された保管場所に外字データを保管する手段とを含む外字データ保管手段を備えることにより、或いは、前記文字データベース管理手段が、インデックス番号に従って文字データベース内をサーチする手段と、サーチ結果を報知する手段とを含む外字データ検索手段を備えることにより、効果的に達成される。
【０００８】
またさらに、本発明の上記目的は、前記外字割り当て手段が、前記文字データベースから欲しい外字データを集める手段と、パッケージされた外字データをすべてのクライアント端末に送る手段と、前記クライアント端末内にある更新前の外字データを更新されたパッケージされた外字データに置き換える手段とを備えることにより効果的に達成される。
【０００９】
さらにまた、本発明の上記目的は、前記クライアント端末が外字データ作成手段を備えることにより、効果的に達成される。
【００１０】
本発明はネットワークを利用した外字提供方法に関し、本発明の上記目的は、ネットワークを通じて相互に交信が可能な外字提供者のサーバと、該サーバに接続された文字データベースと、ＰＣユーザのクライアント端末とを含むシステムによって、前記サーバから前記クライアント端末へ外字を提供する方法であって、該方法が、
（ａ）前記クライアント端末からの外字リクエストが前記ネットワークを介して前記サーバに入力されるステップ、
（ｂ）前記サーバが前記クライアント端末からの外字リクエストを受け付けるステップ、
（ｃ）前記サーバが前記リクエストされた外字が前記文字データベースに存在するか否かを検索するステップ、
（ｄ）ステップ（ｃ）の結果、前記外字が前記文字データベースにない場合には、前記サーバがその外字に対して新たなインデックス番号を付与し、前記文字データベースに格納するステップ、
（ｅ）前記サーバが前記クライアント端末に、前記リクエストされた外字のインデックス番号を割り当てるステップ、
を含むことを特徴とするネットワークを利用した外字提供方法によって達成される。
【００１１】
また、本発明の上記目的は、前記（ｃ）のステップがさらに次の（イ）〜（ニ）のステップを有することを特徴とする前記ネットワークを利用した外字提供方法によって効果的に達成される。
（イ）ＰＣユーザのリクエストの有効性を検証するステップ、
（ロ）リクエストされた外字イメージの１次及び２次モーメントを計算するステップ、
（ハ）リクエストされた外字のインデックス番号を探すステップ、
（ニ）リクエストされた外字データにアクセスするステップ
【００１２】
さらに、本発明の上記目的は、前記（ｄ）のステップにおいて文字データベースに格納するステップが、さらに次の（イ）〜（ハ）のステップを有することを特徴とする前記ネットワークを利用した外字提供方法によって効果的に達成される。
（イ）ニューラルネットワーク及びその記憶構造（storage  structure）を更新するステップ、
（ロ）新しい外字データに対して適当な記憶スペースを割り当てるステップ、
（ハ）同一の文字コードを有するすべての外字を関連付けるステップ
【００１３】
またさらに、本発明の上記目的は、前記（ｅ）のステップがさらに次の（イ）〜（ハ）のステップを有することを特徴とする前記ネットワークを利用した外字提供方法によって効果的に達成される。
（イ）文字データベースから前記外字データを検索するステップ
（ロ）外字データを一まとめにするステップ
（ハ）一まとめにされた外字データを前記クライアント端末に送るステップ
【００１４】
さらにまた、前記サーバはコンピュータプログラムによって制御され、該プログラムは、前記サーバを手段（ａ）〜（ｆ）として機能させることを特徴とする。
（ａ）ＰＣユーザのクライアント端末から外字リクエストを受ける手段
（ｂ）要求された外字にインデックス番号をつける手段
（ｃ）文字データベースから外字を検索する手段
（ｄ）新しい文字データの作成処理を行う手段
（ｅ）文字データベースの再構築を行う手段
（ｆ）文字データをＰＣユーザのクライアント端末に割り当てる手段
【発明の効果】
【００１５】
本発明に係るネットワークを利用した外字提供システム及び方法によれば、新たに作成された外字をサーバで一括して管理し、その外字データ及びそのコードをネットワークに接続された全ユーザで共有できるため、外字を使用した文書を電子媒体でやりとりしても、受け取った相手のコンピュータでその外字を確実に表示させることが可能となる。
【発明を実施するための最良の形態】
【００１６】
本発明は、ネットワークを利用した外字提供システム及び方法に関するものであり、ユーザが自分で作成した外字イメージをネットワークを介してサーバに送り、サーバがその外字に対して固有のインデックス番号を付与し、ネットワークに接続された全クライアント端末に対してそのインデックス番号を送り、全ユーザの外字ファイルを自動更新するものである。もし、ユーザが要求した外字がすでにデータベースに登録されているものであれば、そのユーザに対してその外字のインデックス番号を送り、外字ファイルを更新する。
以下、本発明に係るネットワークを利用した外字提供システム及び方法に関して図面を参照しつつ詳細に説明する。
【００１７】
図１は本発明に係るネットワークを利用した外字提供システムのシステム構成を示す図であり、文字データベース２が接続されたサーバ１と、サーバ１に対して外字リクエストを行うＰＣユーザのクライアント端末３がネットワーク４を介して相互に交信可能に接続されている。また、サーバ１からの要求により外字イメージを作成する文字デザインメーカのコンピュータ５もネットワーク４に接続されている。
【００１８】
図２は前記サーバ１の機能面での構成を示す図であり、クライアント管理手段１１と、文字データベース管理手段１２と、文字割り当て手段１３を備えている。
前記クライアント管理手段１１は、ユーザからの外字リクエストを受け付ける手段と、受け付けた外字データにインデックス番号を付ける手段と、インデックス番号が付けられた外字データを文字データベース２へ送る手段とを有している。さらに、前記ユーザからの外字リクエストを受け付ける手段には、外字の標準文字コードに対応する外字が文字データベースに存在しない場合に、文字デザインメーカに対して外字作成依頼を行い、作成された外字を受け取る外字データ取得手段が設けられている。前記外字データ取得手段は、文字デザインメーカに対して作成すべき外字のイメージと標準文字コードの情報を送る手段、新しい外字が作成されたか否か及びそれが送られてきたか否かをチェックする手段、及び文字デザインメーカが作成した外字データを受領する手段を有している。
また、前記外字データにインデックス番号を付ける手段には、標準の文字コードを使用して同一の文字に対応する１組の外字データにアクセスする手段、文字イメージのモーメントを計算する手段、及びインデックス番号を決めるため、ニューラルネットに学習させる際に文字イメージのモーメントを使用する手段が含まれる。
【００１９】
次に、前記文字データベース管理手段１２は、インデックスが付けられた外字データを文字データベース２に格納する手段と、前記文字データベース２の外字データを検索する手段とを有している。さらに、前記インデックスが付けられた外字データを文字データベース２に格納する手段には、外字データの保管場所を設定する手段と、設定された保管場所に外字データを保管する手段とが設けられている。また、前記文字データベース２内の外字データを検索する手段には、インデックス番号に従って文字データベース２内をサーチする手段と、サーチ結果を報知する手段とが設けられている。
【００２０】
さらに、前記外字割り当て手段は、文字データベース２から欲しい外字データを集める（collecting）手段、パッケージされた外字データをすべてのクライアント端末３に送る手段、及びクライアント端末３内にある古い外字データを新しいパッケージされた外字データに置き換える手段を有している。
【００２１】
図３は本発明に係るネットワークを利用した外字提供システムによる処理の手順を示すフローチャートであり、この図に基づいて説明する。
まず、外字のインデックス番号の発行を要求するＰＣユーザ（以下、「ユーザ」という。）はクライアント端末３から、インデックス番号の付与を受けたい旨のメッセージに外字イメージを添付してサーバ１に送信する（ステップＳ１）。ここで、「外字」について簡単に説明しておくこととする。図７の（Ａ）〜（Ｄ）の４つの漢字は、いずれも標準の文字「邊」（シフトJISコード：0xe7b2）の異体字であり、本発明で取り扱う外字に相当するものである。（Ａ）〜（Ｄ）の文字は標準文字の「邊」とは微妙に形が違うものであるが、いずれも標準文字の「邊」と同じ文字コードを持つものである。しかしながら、標準文字と区別するために、標準文字コードに関連付けてインデックス番号を付与し、同じグループとして登録している。
【００２２】
以下、前記ユーザが図７の（Ｅ）の外字を外字作成ツール等を用いて作成し、その外字に対してインデックス番号の付与を要求した場合を例として説明する。なお、外字作成ツールとしては前記特許文献２に記載のものが利用可能である。
ユーザからのリクエストをサーバが受信すると（ステップＳ３２）、クライアント管理手段１１において、その外字イメージに標準の文字コードが付されているかをチェックし（ステップＳ３３）、文字コードが付されていなければ（ＮＯの場合）、ユーザに対して文字コードを付すことを要求する（ステップＳ３４）。
【００２３】
一方、その外字イメージに標準の文字コードが付されていれば（ＹＥＳの場合）、その標準文字コードを手がかりとして、その標準文字に対する外字が登録されているか否かを文字データベース２を検索して調べる（ステップＳ３５）。本例ではすでに図７（Ａ）〜（Ｄ）の外字が登録されているので、ステップＳ３６に移行し、外字（Ｅ）に対して新たなインデックス番号を付与する。インデックス番号の付与の手順は図４のフローチャートに従って行われる。図４は図３のフローチャートにおけるステップＳ３６の処理を詳細に表したものである。
【００２４】
まず、受け取った（Ｅ）の外字イメージの１次及び２次モーメントを計算する（ステップＳ３８１）。モーメントとは、図６に示すように、文字を正方形とみなし、その中心の座標を（ｘ０，ｙ０）としたときに、文字イメージの画素が存在する点の座標（ｘｉ、ｙｉ）について、次の式１及び式２に基づいて計算した値をいう。ここに、ｍｘ及びｍｙを１次モーメント、σｘ及びσｙを２次モーメントという。
【数１】
2006048277.tif 000003
【数２】
2006048277.tif 000004
ちなみに、本システムを用いて算出した前記の各文字のモーメントデータを、表１に示す。
【表１】
2006048277.tif 000005
次に、外字（Ａ）〜（Ｄ）について前記文字データベース２にすでに登録されているモーメントのデータと、ニューラルネットワークの重み係数を呼び出して、ニューラルネットワークに入力して学習させる（ステップＳ３８２）。
【００２５】
ニューラルネットワーク（ＮＮ）とは、図５に示すように入力と出力の間の重み係数を基本構成とし、入力層、中間層、出力層により構成され、入力層に与えられたモーメントデータは１層目の重み係数によって強弱が付けられ中間層へ伝搬し、中間層から２層目の重み係数によって強弱が付けられ出力層へ伝搬する。このとき適切な重み係数が与えられていれば、所定の出力値が得られて外字を判別することができる。また、このような結果を得るための適切な重み係数を求める作業を学習と呼んでいる。
【００２６】
学習の結果、外字（Ａ）のモーメントデータを入力すると、１番上の出力のみが１となり、残りは０となる。同様に、外字（Ｂ）の入力に対しては２番目の出力のみが１、外字（Ｃ）の入力に対しては３番目の出力のみが１、外字（Ｄ）の入力に対しては４番目の出力のみが１となる。このＮＮの出力を外字（Ａ）〜（Ｄ）のインデックス番号として利用することができる。
【００２７】
次に、ステップＳ３８１で計算した外字（Ｅ）のモーメントデータをＮＮに入力する（ステップＳ３８３）。もし、外字（Ｅ）に関するＮＮの出力が外字（Ａ）〜（Ｄ）の出力のいずれかと一致すれば、外字（Ｅ）はすでに登録されていると判断されるので、出力が一致した外字のインデックス番号を、リクエストしたユーザに送信し、そのユーザの端末の外字ファイルを更新する（ステップＳ３７）。本例では、外字（Ｅ）は外字（Ａ）〜（Ｄ）のいずれとも同じではないので、外字（Ｅ）のＮＮ出力の上から５番目の出力のみが１となるようにＮＮを学習させ、重み係数を決定する。このようにして新たなインデックス番号が決定され（ステップＳ３８５）、文字データベース２の中に、外字（Ｅ）のイメージデータ、インデックス番号、重み係数を一まとめ（１パック）にして格納する（ステップＳ３８６）。
【００２８】
以上のようにしてリクエストされた外字（Ｅ）のインデックス番号が決定されると、図３のステップＳ３７に戻り、サーバ１の外字割り当て手段１３によってユーザにすべての外字（Ａ）〜（Ｅ）のインデックス番号が送信され、クライアント端末３内にある古い外字データがパッケージされた新しい外字データに更新される。なお、このインデックス送信は、リクエストを行ったユーザのみならず、ネットワークに接続されているすべてのクライアント端末に送信され、外字ファイルが更新されるようになっている。そうしないと、更新済みのユーザから未更新のユーザに、外字を使用した文書が渡った場合に、未更新のユーザはその文書を正しく表示することができないからである。
【００２９】
以上は、同じ標準文字コードを有するいくつかの外字がすでに文字データベースに登録されている場合を例として説明したが、そのような外字が一つも登録されていない場合（ステップＳ３５において、“ＮＯ”の場合）は、ユーザが作成した外字イメージデータを、サーバが文字デザインメーカのコンピュータ５に送信し（ステップＳ３８）、作成された外字イメージデータを前記クライアント管理手段１１にある外字データ取得手段によって受領し（ステップＳ３９）、ステップ３６に移行してその外字に対してインデックス番号を付与する。これ以降の手順は上述の通りであるので説明は省略する。
本発明は特許請求の範囲の請求項に記載された通りのものであり、発明を実施するための最良の形態の中で説明した実施例に限定されるものではなく、発明の趣旨を逸脱しない範囲で種々の変更が可能である。
【図面の簡単な説明】
【００３０】
【図１】本発明に係るネットワークを利用した外字提供システムのシステム構成を示す図である。
【図２】サーバの機能面での構成を示す図である。
【図３】本発明に係るネットワークを利用した外字提供システムによる処理の手順を示すフローチャートである。
【図４】図３のフローチャートにおけるステップＳ３６の処理を詳細に表したものである。
【図５】ニューラルネットワークについて説明するための図である。
【図６】モーメントの求め方を説明するための図である。
【図７】外字の具体例を示す図である。
【符号の説明】
【００３１】
１  外字提供者サーバ
２  文字データベース
３  クライアント端末
４  ネットワーク
５  文字デザインメーカのコンピュータ
１１  クライアント管理手段
１２  文字データベース管理手段
１３  文字割り当て手段
【図１】
2006048277.tif 000006
【図２】
2006048277.tif 000007
【図３】
2006048277.tif 000008
【図４】
2006048277.tif 000009
【図５】
2006048277.tif 000010
【図６】
2006048277.tif 000011
【図７】
2006048277.tif 000012